(57)【要約】【課題】上部コネクタ自体の外観構成の機能を生かして確実に防水効果を得ることができること。【解決手段】上面に複数の上部端子挿入孔を有する上部コネクタと、一方、下面に前記上部端子挿入孔とそれぞれ対向する複数の下部端子挿入孔を有し、かつ前記上部コネクタの下部に直接又は間接的に結合する下部コネクタとから成るリード線用コネクタに於いて、前記上部端子挿入孔に挿入保持される上位の１つのリード線の表面に付着した水或いは該上部端子挿入孔に入り込んだ水が、その表面張力を保った状態で隣り合う下位のリード線と導通状態とならないように前記上部コネクタの上面を段差状に形成したことを特徴とするリード線用コネクタ。【選択図】図１
2011054472.tif 000002
【特許請求の範囲】
【請求項１】
上面に複数の上部端子挿入孔を有する上部コネクタと、一方、下面に前記上部端子挿入孔とそれぞれ対向する複数の下部端子挿入孔を有し、かつ前記上部コネクタの下部に直接又は間接的に結合する下部コネクタとから成るリード線用コネクタに於いて、前記上部端子挿入孔に挿入保持される上位の１つのリード線の表面に付着した水或いは該上部端子挿入孔に入り込んだ水が、その表面張力を保った状態で隣り合う下位のリード線と導通状態とならないように前記上部コネクタの上面を段差状に形成したことを特徴とするリード線用コネクタ。
【請求項２】
請求項１に於いて、上位の一つの上部端子挿入口３ａに対して、少なくとも左右又は前後の下位の上部端子挿入口３ａのいずれかが、互いに段差状に位置していることを特徴とするリード線用コネクタ。
【請求項３】
請求項１に於いて、上位の一つの上部端子挿入口３ａに対して、対角線方向の下位の上部端子挿入口３ａが互いに段差状に位置していることを特徴とするリード線用コネクタ。
【請求項４】
請求項１に於いて、上部コネクタ１Ａのハウジング８Ａの嵌合部８ｂと下部コネクタ２Ａの上端部とを嵌め合わせたときに、前記ハウジング８Ａの端子保持部８ａに保持された上部側の各端子６と下部コネクタ２Ａのハウジング１１Ａに保持された下部側の各端子７がそれぞれ一体的に結合するように前記ハウジング１１Ａの上面は、前記上部側の各端子６の挿入先端部の上下方向の位置に対応して、かつ、嵌合溝１５を介して段差状に形成されていることを特徴とするリード線用コネクタ。
【発明の詳細な説明】
【技術分野】
【０００１】
本発明は、防水機能を有するリード線用コネクタに関する。
【背景技術】
【０００２】
特許文献１には、防水コネクタの一例が記載されている。この防水コネクタは、実用化されている普通一般のコネクタと同様に、雄コネクタと、該雄コネクタに一体的に結合（例えば嵌着）する雌コネクタとから成り、雄コネクタ及び雌コネクタは、それぞれハウジングの一端からに内部に向かって形成された複数個の電線ケーブル或いはリード線用の端子挿入孔を有している。
【０００３】
この特許文献１の防水コネクタは、さらに、雄コネクタ及び雌コネクタの各側壁に前記端子挿入孔にそれぞれ交差状態に対向する挿入口（開口）を有し、各挿入口には前記電線ケーブル或いはリード線の挿入先端部の端子を係止する端子係止部材がそれぞれ嵌め込まれている。
【０００４】
しかして、特許文献１の防水コネクタは、主として水平状態にして使用するものであることから、例えば雄コネクタのハウジングの外表面と端子係止部材の外表面との間に出来た間隙から防水コネクタの内部に結露した水が侵入する従来例（特許文献１の図１１）の欠点を克服するために、前記端子係止部材の挿入口の周囲を弾性シール材で囲む構成を採用している（特許文献１の図１）。
【０００５】
しかしながら、特許文献１に記載の防水コネクタは、複数個の端子挿入孔が形成されている端部の端面が垂直面なので、仮に、防水コネクタを縦の状態で使用した場合には、前記端子挿入孔に挿入保持される１つのリード線の表面に結露した水が、その表面張力を保った状態で隣り合う他のリード線の表面と繋がり、かつ、各端子挿入孔の隙間から防水コネクタの内部へと侵入した場合には、いわゆる導通状態となる可能性があので、接続端子（電極）間でショートやリークが発生するという問題点がある。
【０００６】
この問題点は、上面に複数の上部端子挿入孔を有する上部コネクタと、一方、下面に前記上部端子挿入孔とそれぞれ対向する複数の下部端子挿入孔を有し、かつ前記上部コネクタの下部に一体的に結合する下部コネクタとから成る小型のリード線用コネクタにおいても、前記上部コネクタの上端面が「水平面」なので、同様である。
【０００７】
ここで、図８乃至図１１に小型のリード線用コネクタＸの一例を示して、従来の問題点を指摘する。このリード線用コネクタＸは、例えば扉に取り付けられた電気錠の結線に使用されている。１は上部コネクタ、一方、２は上部コネクタに一体的に嵌着（結合）する下部コネクタである。周知のように上部コネクタ１及び下部コネクタ２の各端子挿入孔３、４には、リード線５の先端部５ａに圧着（カシメ固定）された端子６、７が挿入される。
【０００８】
図８を基準にすると、符号６は上部コネクタ１のメス型ハウジング８に形成された複数個の端子挿入孔３にそれぞれ挿入された複数個のオス端子で、これらのオス端子６は、端子挿入孔３の内周面に支持された状態で上部コネクタ１のメス型ハウジング８内に収まっている。
【０００９】
メス型ハウジング８は、図１０の斜視図で示すように、平坦状の上端面に複数個の端子挿入口３ａを有する角型ブロック状の端子保持部８ａと、この端子保持部８ａの下端部に連設する下向き嵌合凹所９を有する嵌合部８ｂとから成り、前記の嵌合部８ｂの垂直一側壁には、係止手段としての係合孔１０が形成されている。
【００１０】
これに対して、符号７は下部コネクタ２のオス型ハウジング１１に形成された複数個の端子挿入孔４にそれぞれ挿入された複数個のメス端子で、これらのメス端子７は、端子挿入孔４の内周面に支持された状態で下部コネクタ２のオス型ハウジング１１内に収まっている。
【００１１】
オス型ハウジング１１は、図１１で示すように、水平状の下端面に複数個の端子挿入口４ａを有する角型ブロックに形成され、その垂直一側壁には、上部コネクタ１の係合孔１０と係脱する小突起１２が設けられている。なお、下部コネクタ２の上端面も下端面と同様に水平面である。また、各端子挿入孔３、４は、互いに対向している。
【００１２】
図９で示すように、上部コネクタ１のメス型ハウジング８の嵌合部８ｂと下部コネクタ２のオス型ハウジング１１とを嵌め合わせると、ピン状の各オス端子６とパイプ状の各メス端子７はそれぞれ一体的に結合して上下の複数本のリード線５、５はそれぞれ上下方向に接続する。
【００１３】
ところで、リード線５の外周面５ａに温度や湿度の環境変化により結露が生じすると、結露した水Ｗがその表面張力を保った状態で隣り合う他のリード線５の表面５ａと繋がり、かつ、上部コネクタ１の各端子挿入口３ａの隙間１３から上部コネクタの内部へと侵入した場合には、いわゆる導通状態となり、その結果、接続端子（電極）間でショートやリークが発生する。
【００１４】
そこで、現在、各端子挿入孔の挿入口の周囲を弾性シール材で囲む構成、或いは電線ケーブル或いはリード線の挿入端部寄りの部位に防水用の弾性鍔を設ける従来方式ではなく、少なくとも上部コネクタ自体の外観構成を新規なものにし、かつ、確実に防水効果を得ることができるコネクタ出現が要望されている。
【先行技術文献】
【特許文献】
【００１５】
【特許文献１】特開２００１−１６０４５１号公報
【発明の概要】
【発明が解決しようとする課題】
【００１６】
本発明の所期の目的は、上部コネクタ１の各端子挿入口の隙間に弾性シールをそれぞれ嵌め込まなくても、上部コネクタ自体の外観構成の機能を生かして確実に防水効果を得ることができることである。第２の目的は、製造原価の低減化を図ることである。第３の目的は、嵌着時、上部コネクタ側の各接続端子と下部コネクタ側の各接続端子が確実に結合することである。
【課題を解決するための手段】
【００１７】
本発明のリード線用コネクタは、上面に複数の上部端子挿入孔を有する上部コネクタと、一方、下面に前記上部端子挿入孔とそれぞれ対向する複数の下部端子挿入孔を有し、かつ前記上部コネクタの下部に直接又は間接的に結合する下部コネクタとから成るリード線用コネクタに於いて、前記上部端子挿入孔に挿入保持される上位の１つのリード線の表面に付着した水或いは該上部端子挿入孔に入り込んだ水が、その表面張力を保った状態で隣り合う下位のリード線と導通状態とならないように前記上部コネクタの上面を段差状に形成したことを特徴とする。
【００１８】
上記構成に於いて、上位の一つの上部端子挿入口３ａに対して、少なくとも左右又は前後の下位の上部端子挿入口３ａのいずれかが、互いに段差状に位置していることを特徴とする。また、上位の一つの上部端子挿入口３ａに対して、対角線方向の下位の上部端子挿入口３ａが互いに段差状に位置していることを特徴とする。さらに、上部コネクタのハウジング８Ａの嵌合部８ｂと下部コネクタの上端部とを嵌め合わせたときに、前記ハウジング８Ａの端子保持部８ａに保持された上部側の各端子６と下部コネクタ２Ａのハウジング１１Ａに保持された下部側の各端子７がそれぞれ一体的に結合するように前記ハウジング１１Ａの上面は、前記上部側の各端子６の挿入先端部の上下方向の位置に対応して、かつ、嵌合溝１５を介して段差状に形成されていることを特徴とする。
【００１９】
ここで、「リード線の表面に付着した水或いは該上部端子挿入孔に入り込んだ水」には、リード線の表面に結露した水、或いは雨水、或いはまた潮風に乗って飛んできた塩水がそれぞれ含まれる。
【発明の効果】
【００２０】
（１）例えば上部端子挿入孔に挿入保持される１つのリード線の表面に結露した水等が、その表面張力を保った状態で隣り合う他のリード線と導通状態にないように前記上部コネクタの上面を段差状に形成したので、上部コネクタ１の各端子挿入口の隙間に弾性シールをそれぞれ嵌め込まなくても、上部コネクタ自体の外観構成の機能を生かして確実に防水効果を得ることができる。
（２）上部コネクタの端部を隣り合う端子挿入口に位置に対応して段差状に成形すれば良いだけなので、防水用の部材が不要となり、その結果、製造原価の低減化を図ることができる。
（３）下部コネクタ２Ａのハウジング１１Ａの上面も嵌合溝を介して段差状に形成したので、嵌着時、上部コネクタ側の接続端子と下部コネクタ側の接続端子が確実に結合する。
【図面の簡単な説明】
【００２１】
図１乃至図７は本発明の最良の実施例を示す各説明図。図８乃至図１１は従来の一例を示す各説明図。
【図１】上部コネクタ１Ａと下部コネクタ２Ａとを嵌着した状態を示す概念図。
【図２】図１の中央部の概略縦断面図。
【図３】上部コネクタ１Ａのメス型ハウジング８Ａの斜視図。
【図４】メス型ハウジング８Ａの正面図。
【図５】下部コネクタのオス型ハウジング１１Ａの斜視図。
【図６】オス型ハウジング１１Ａの平面図。
【図７】水滴状態の水が段差部分により分離する旨の概略説明図。
【図８】従来のリード線用コネクタＸの一例を示す概略説明図（上部コネクタと下部コネクタは分離状態）。
【図９】上部コネクタと下部コネクタが結合した状態の概略説明図。
【図１０】上部コネクタのメス型ハウジング８の斜視図。
【図１１】下部コネクタのオス型ハウジング１１の斜視図。
【発明を実施するための最良の形態】
【００２２】
図１乃至図７に示したリード線用コネクタＸ１は、図８乃至図１１で示したリード線用コネクタＸを改良したものである。また、リード線用コネクタＸ１は、従来のリード線用コネクタＸの外観構成を改良したものであるから、説明の便宜上、リード線用コネクタＸの符号を援用し、同一の構成部分には同一または同様の符号を付して重複する説明を割愛する。
【００２３】
まず、図１は上部コネクタ１Ａと下部コネクタ２Ａとを嵌着した状態を示す概念図である。リード線用コネクタＸ１は、従来のリード線用コネクタＸと同様に上面に複数の上部端子挿入孔３を有する上部コネクタ１Ａと、一方、下面に前記上部端子挿入孔３とそれぞれ対向する下部端子挿入孔４を有し、かつ、前記上部コネクタ１Ａの下部に直接（本実施例）又は間接的に（例えば筒状連結体を介して）結合する下部コネクタ２Ａとから成る。
前記上部コネクタ１Ａは、メス型ハウジング８Ａと、該メス型ハウジング８Ａの上面の複数個の端子挿入口３ａからの各端子挿入穴３へとそれぞれ差し込まれる複数本の接続端子（例えばオス端子）６と、これらの接続端子６に挿入先端部がそれぞれ圧着された上部側の複数本のリード線５とから成る。
【００２４】
上部コネクタ１Ａの相手となる下部コネクタ２Ａも同様に、オス型ハウジング１１Ａと、該オス型ハウジング１１Ａの下面の複数個の端子挿入口４ａからの各端子挿入穴４へとそれぞれ差し込まれる複数本の接続端子（例えばメス端子）７と、これらの接続端子７に挿入先端部がそれぞれ圧着された下部側の複数本のリード線５とから成る。
【００２５】
次に、図２は図１の中央部の概略縦断面図、図３はメス型ハウジング８Ａの斜視図、図４はメス型ハウジング８Ａの正面図である。これらの図から明らかなように、上部コネクタ１Ａを構成するメス型ハウジング８Ａの上面は、結露した水Ｗが分離するように段差状に形成されている。
【００２６】
すなわち、複数個（例えば合計９個）の上部挿入孔３に挿入保持される１つのリード線５の表面に結露した水Ｗ、或いは該上部挿入孔３に入り込んだ水Ｗが、その表面張力を保った状態で隣り合う他のリード線５と導通状態にないように上部コネクタ１Ａのメス型ハウジング８Ａの上面を複数個の段差状に形成している。
【００２７】
ここで、図３を参照にすると、メス型ハウジング８Ａの端子保持部８ａは、その上面に左右前後に整列状態に合計９個の端子挿入口３ａを有しているものの、これらの端子挿入口３ａは、互いに段差状に位置している。付言すると、中央部の端子挿入口３ａは、左右前後の端子挿入口３ａよりも一段高い所に位置し、また、左右前後の端子挿入口３ａは、中央部の端子挿入口３ａに対して対角線方向に位置する端子挿入口３ａよりもさらに一段高い所に位置している。
【００２８】
したがって、本実施例では、一つの端子挿入口３ａに対して、少なくとも左右又は前後方向の他の端子挿入口３ａが互いに段差状に位置している。また、一つの端子挿入口３ａに対して、対角線方向の他の端子挿入口３ａも互いに段差状に位置している。
【００２９】
付言すると、基準となる一つの端子挿入口３ａの左右又は／及び前後方向のみならず、基準となる端子挿入口３ａの対角線方向にも他の端子挿入口３ａが存在する場合には、互いの端子挿入口３ａがそれぞれ同一の高さにならない段差状にする必要がある。
【００３０】
実施例では、基準となる端子挿入口３ａは、左右及び前後方向の端子挿入口３ａよりも所要量高い所に位置し、また、前記左右及び前後の端子挿入口３ａは、基準となる端子挿入口３ａに対して対角線方向に位置する端子挿入口３ａよりもさらに高い所に位置している。
【００３１】
なお、段差の高さは、特に数値限定をするものではないが、基準となる端子挿入口３ａを有する一つの上面に一つのリード線５の外周面に結露した水が集まって水滴状になった場合において、水滴状の水Ｗが、図７で示すように、各端子保持部８ａの段差を形成する垂直面或いは傾斜面を流れ落ちるとき、高い上面に集まっている水と他の低い上面へと流れ落ちる水とが互いに分離する状態となるような高さであれば良い。
【００３２】
ところで、上部コネクタ１Ａのメス型ハウジング８Ａの端子保持部８ａの各挿入孔３に保持されるオス端子６はそれぞれ同一の長さであることから、本実施例では、前記端子保持部８ａに連設する嵌合部８ｂの下端面もそれぞれ段差状となっている。
【００３３】
次に、図５及び図６は、下部コネクタ２Ａのオス型ハウジング１１Ａの外観構成を示している。前述したように、下部コネクタ２Ａは、オス型ハウジング１１Ａと、該オス型ハウジングの下面の複数個の端子挿入口４ａからの各端子挿入穴４へとそれぞれ差し込まれる複数本の接続端子（例えばメス端子）７と、これらの接続端子７に挿入先端部がそれぞれ圧着された下部側の複数本のリード線５とから成る。
【００３４】
しかして、各メス端子７の長さもオス端子６の長さと同様に規格化され、同一長、同一形状等であることから、下部コネクタ２Ａのオス型ハウジング１１Ａの上端部も、上部コネクタ１Ａのメス型ハウジング８Ａの端子保持部８ａと同様の形態にしている。
【００３５】
付言すると、メス型ハウジング８Ａの各端子保持部８ａに保持された各オス端子６の挿入先端部は、それぞれ異なるように位置していることから、メス型ハウジング８Ａの嵌合部８ｂとオス型ハウジング１１Ａとを嵌め合わせたときに、各オス端子６と各メス端子７がそれぞれ一体的に結合するように前記オス型ハウジング１１Ａの上面は、各オス端子６の挿入先端部の上下方向の位置に対応して段差状に形成されている。
【００３６】
そして、オス型ハウジング１１Ａの上端部の上面は、平面視において、筋状或いは格子状に見える嵌合溝１５が形成されている。なお、本実施例では、オス型ハウジング１１Ａの下端部も段差状に形成されているが、これは発明の本質的事項ではない。
【００３７】
図７は、例えば上部コネクタ１Ａの上部端子挿入孔３に挿入保持される１つのリード線５の表面に結露した水乃至該上部端子挿入孔３に入り込んだ水滴、雨水、塩水等の水Ｗが、その表面張力を保った状態で隣り合う他のリード線５の表面乃至挿入先端部の端子と繋がらないようにメス型ハウジング８Ａの段差状の高い方の上面から低い方の上面へと流れる落ちるとき、互いのオス端子６、６が導通状態にならないように垂直面で分離することを示している。
【実施例】
【００３８】
リード線用コネクタＸ１は、本願発明の技術的思想を示す一例であるから、各端子挿入孔３、４の数が複数個であれば、その数は実施例に限定されるものではない。
【産業上の利用可能性】
【００３９】
本発明は、例えば扉に取り付けられる電気錠側のリード線と戸枠側のリード線との結線に際に利用される。また、上部コネクタ１Ａと下部コネクタ２Ａは、これらのコネクタ１Ａ、２Ａの突合せ部分に外嵌合する筒状連結体を介して結合するタイプでも良い。
【符号の説明】
【００４０】
Ｘ１…リード線用コネクタ、１Ａ…上部コネクタ、２Ａ…下部コネクタ、３…上部端子挿入孔、３ａ…端子挿入口、４…下部端子挿入孔、４ａ…端子挿入口、５…リード線、６…接続端子（例えばオス端子）、７…接続端子（例えばメス端子）、８Ａ…メス型ハウジング、８ａ…端子保持部、８ｂ…嵌合部、１１Ａ…オス型ハウジング、１５…嵌合溝、Ｗ…結露した水。
【図１】
2011054472.tif 000003
【図２】
2011054472.tif 000004
【図３】
2011054472.tif 000005
【図４】
2011054472.tif 000006
【図５】
2011054472.tif 000007
【図６】
2011054472.tif 000008
【図７】
2011054472.tif 000009
【図８】
2011054472.tif 000010
【図９】
2011054472.tif 000011
【図１０】
2011054472.tif 000012
【図１１】
2011054472.tif 000013